(57)【要約】  ハイブリッド車両において電動機走行中にエンジン始動を行なったときのトルク抜けの発生が抑制される駆動制御装置を提供することにある。  第１電動機（ＭＧ１）および第２電動機（ＭＧ２）で車両を駆動する電動機走行モード（ＥＶ−２）での電動機走行中にエンジン（１２）を始動させるに際しては、第２電動機（ＭＧ２）の出力トルクが増加させられるとともに、クラッチ（ＣＬ）が解放されて第１電動機（ＭＧ１）によりエンジン（１２）が回転駆動される。このため、車両駆動力に寄与していた第１電動機（ＭＧ１）の出力トルクの低下分に相当する車両の駆動トルクの低下分が、第２電動機（ＭＧ２）の出力トルクの増加に相当する駆動トルクの増加によって補償されるので、車両の駆動トルクの変化が緩和されてトルク抜けの発生が抑制される。
2013140546.tif 000002
【特許請求の範囲】
【請求項１】
全体として４つの回転要素を有する第１差動機構及び第２差動機構と、該４つの回転要素にそれぞれ連結された第１電動機、第２電動機、エンジン、および出力回転部材と、該エンジンが連結された回転要素を非回転部材に選択的に連結するブレーキとを、備え、  前記４つの回転要素のうちの１つは、前記第１差動機構の回転要素と前記第２差動機構の回転要素とがクラッチを介して選択的に連結されるものであり、  前記ブレーキおよび前記クラッチを係合させて第１電動機および第２電動機で車両を駆動する電動機走行が行なわれるハイブリッド車両の駆動制御装置であって、  前記電動機走行中に前記エンジンを始動させるに際しては、前記クラッチを解放して前記第１電動機により該エンジンを回転駆動するとともに、前記第２電動機の出力トルクを前記第２の電動機走行モード時よりも増加させることを特徴とするハイブリッド車両の駆動制御装置。
【請求項２】
前記第２電動機は、前記電動機走行では、相対的に大きく設定された第１定格トルクよりも所定の余裕値だけ小さく設定された第２定格トルク内の運転点で作動させられるが、前記エンジン始動時には、該第２定格トルクを越えた運転点で作動させられることを特徴とする請求項１のハイブリッド車両の駆動制御装置。
【請求項３】
前記第１電動機および第２電動機は、前記電動機走行では、相対的に効率が良い領域内の運転点で作動させられ、前記エンジン始動時では、該効率が良い領域内の運転点から離れて前記第２定格トルクを越えた運転点で作動させられることを特徴とする請求項１または２のハイブリッド車両の駆動制御装置。
【請求項４】
前記電動機走行において、エンジン始動要求の発生可能性が低い状態では、前記第２電動機は第２定格トルクを越えた運転点で作動させられることを特徴とする請求項１乃至３のいずれか１のハイブリッド車両の駆動制御装置。
【請求項５】
前記第１差動機構は、前記第１電動機に連結された第１回転要素、前記エンジンに連結された第２回転要素、及び前記出力回転部材に連結された第３回転要素を有し、  前記第２差動機構は、第２電動機に連結された第１回転要素、第２回転要素、及び第３回転要素を有し、該第２回転要素及び第３回転要素の何れか一方が前記第１差動機構の第３回転要素に連結され、  前記クラッチは、前記第１差動機構の回転要素と前記第２差動機構の回転要素とを選択的に連結し、  前記ブレーキは、前記第２差動機構における回転要素を非回転部材に対して選択的に連結するものである請求項１乃至４のいずれか１ののハイブリッド車両の駆動制御装置。
【発明の詳細な説明】
【技術分野】
【０００１】  本発明は、ハイブリッド車両の駆動制御装置の改良に関する。
【背景技術】
【０００２】  例えば、第１電動機に連結された第１回転要素、エンジンに連結された第２回転要素、及び出力回転部材および第２電動機に連結された第３回転要素を備えた差動機構と、エンジンのクランク軸の回転を拘束するクランク軸ロック装置とを備え、第２電動機を駆動源として走行可能な通常の第１電動機走行モードの他に、第１電動機および第２電動機を共に駆動源として走行可能な第２電動機走行モードが得られるハイブリッド車両が知られている。
【先行技術文献】
【特許文献】
【０００３】
【特許文献１】特開２００８−２６５６００号公報
【発明の概要】
【発明が解決しようとする課題】
【０００４】  これに対して、第１電動機に連結された第１回転要素、エンジンに連結された第２回転要素、及び出力回転部材に連結された第３回転要素を備えた第１差動機構と、第２電動機に連結された第１回転要素、第２回転要素、及び第３回転要素を備え、それら第２回転要素及び第３回転要素の何れか一方が前記第１差動機構における第３回転要素に連結された第２差動機構と、前記第１差動機構における回転要素と前記第２差動機構における回転要素とを選択的に連結するクラッチと、前記第２差動機構における回転要素を非回転部材に対して選択的に連結するブレーキとを、備えるハイブリッド車両が考えられる。これによれば、前記ブレーキおよび前記クラッチを係合させて第１電動機および第２電動機で車両を駆動する電動機走行が得られる。【０００５】  また、上記ハイブリッド車両では、前記ブレーキを係合させ且つ前記クラッチを解放させると、前記エンジンと第１電動機および／または第２電動機とを駆動源とするハイブリッド走行ができるので、一層高い駆動力が得られる特徴がある。【０００６】  ところで、上記ハイブリッド車両において、前記ブレーキおよび前記クラッチを係合させて第１電動機および第２電動機で車両を駆動する電動機走行中に、たとえば要求駆動力の増大や蓄電装置の充電残量ＳＯＣを増加させるなどのためにエンジンを起動させるエンジン始動要求が出される場合がある。しかしながら、上記ハイブリッド車両では、始動専用のスタータモータを備えず、第１電動機を用いてエンジンの始動を行なう必要があるが、この第１電動機を用いてエンジンを始動させると、そのエンジン始動に消費したトルクに相当する分の駆動力が低下し、所謂トルク抜けの感覚が発生し、車両の搭乗者に違和感を与えるという問題が生じる。【０００７】  本発明は、以上の事情を背景として為されたものであり、その目的とするところは、上記ハイブリッド車両において第１電動機および第２電動機で車両を駆動する電動機走行中にエンジン始動を行なったときのトルク抜けの発生が抑制されるハイブリッド車両の駆動制御装置を提供することにある。
【課題を解決するための手段】
【０００８】  斯かる目的を達成するために、本発明の要旨とするところは、(a) 全体として４つの回転要素を有する第１差動機構及び第２差動機構と、(b) 該４つの回転要素にそれぞれ連結された第１電動機、第２電動機、エンジン、および出力回転部材と、(c) 該エンジンが連結された回転要素を非回転部材に選択的に連結するブレーキとを、備え、(d) 前記４つの回転要素のうちの１つは、前記第１差動機構の回転要素と前記第２差動機構の回転要素とがクラッチを介して選択的に連結されるものであり、(e)前記ブレーキおよび前記クラッチを係合させて第１電動機および第２電動機で車両を駆動する電動機走行が行なわれるハイブリッド車両の駆動制御装置であって、(f) 前記電動機走行中に前記エンジンを始動させるに際しては、前記クラッチを解放して前記第１電動機により該エンジンを回転駆動するとともに前記第２電動機の出力トルクを増加させることにある。
【発明の効果】
【０００９】  本発明のハイブリッド車両の駆動制御装置によれば、第１電動機および第２電動機で車両を駆動する電動機走行中にエンジンを始動させるに際しては、第２電動機の出力トルクが増加させられるとともに、クラッチが解放されて第１電動機によりエンジンが回転駆動される。このため、車両駆動力に寄与していた第１電動機の出力トルクの低下分に相当する車両の駆動トルクの低下分が、第２電動機の出力トルクの増加に相当する駆動トルクの増加によって補償されるので、車両の駆動トルクの変化が緩和されてトルク抜けの発生が抑制される。【００１０】  ここで、好適には、(g)前記第２電動機は、前記電動機走行では、相対的に大きく設定された第１定格トルクよりも所定の余裕値だけ小さく設定された第２定格トルク内の運転点で作動させられるが、前記エンジン始動時には、該第２定格トルクを越えた運転点で作動させられる。このようにすれば、電動機走行では、定常運転で過熱のない電動機走行が得られるとともに、エンジン始動時において第２電動機の出力トルクが電動機走行で許容された第２定格トルクよりも大きいトルクを一時的に出力できるので、エンジン始動時の駆動トルクのトルク抜けが確実に抑制される。【００１１】  また、好適には、(h)前記第１電動機および第２電動機は、前記電動機走行では、相対的に効率が良い領域内の運転点で作動させられるが、前記エンジン始動時は、該効率が良い領域内の運転点から離れて前記第２定格トルクを越えた運転点で作動させられる。このようにすれば、電動機走行では、効率のよい電動機走行が得られるとともに、エンジン始動時においては、第２電動機の出力トルクが電動機走行で許容された第２定格トルクよりも大きいトルクを一時的に出力できるので、エンジン始動時の駆動トルクのトルク抜けが確実に抑制される。【００１２】  また、好適には、(j）前記電動機走行において、エンジン始動要求の発生可能性が低い状態では、前記第２電動機は第２定格トルクを越えた運転点で作動させられる。このようにすれば、運転者の急加速や急ブレーキ操作のない定常運転指向であるとき、エンジン水温が暖気判定値より高いとき、蓄電装置の充電残量ＳＯＣが十分にあるときなどのように、エンジン始動の可能性が低い状態では、第２電動機は第２定格トルクを越えた運転点で作動させられるので、電動機走行において一層高い駆動力が得られる。【００１３】  また、好適には、(k）前記第１差動機構は、前記第１電動機に連結された第１回転要素、前記エンジンに連結された第２回転要素、及び前記出力回転部材に連結された第３回転要素を有し、(l) 前記第２差動機構は、第２電動機に連結された第１回転要素、第２回転要素、及び第３回転要素を有し、該第２回転要素及び第３回転要素の何れか一方が前記第１差動機構の第３回転要素に連結され、(m) 前記クラッチは、前記第１差動機構の回転要素と前記第２差動機構の回転要素とを選択的に連結し、(n) 前記ブレーキは、前記第２差動機構における回転要素を非回転部材に対して選択的に連結するものである。
【図面の簡単な説明】
【００１４】
【図１】本発明が好適に適用されるハイブリッド車両用駆動装置の構成を説明する骨子図である。
【図２】図１の駆動装置の駆動を制御するために備えられた制御系統の要部を説明する図である。
【図３】図１の駆動装置において成立させられる５種類の走行モードそれぞれにおけるクラッチ及びブレーキの係合状態を示す係合表である。
【図４】図１の駆動装置において各回転要素の回転速度の相対関係を直線上で表すことができる共線図であり、図３のＥＶ−１モード、ＨＶ−１モードに対応する図である。
【図５】図１の駆動装置において各回転要素の回転速度の相対関係を直線上で表すことができる共線図であり、図３のＥＶ−２モードに対応する図である。
【図６】図１の駆動装置において各回転要素の回転速度の相対関係を直線上で表すことができる共線図であり、図３のＨＶ−２モードに対応する図である。
【図７】図１の駆動装置において各回転要素の回転速度の相対関係を直線上で表すことができる共線図であり、図３のＨＶ−３モードに対応する図である。
【図８】図２の電子制御装置に備えられた制御機能の要部を説明する機能ブロック線図である。
【図９】図８の始動制御部の制御作動を説明する共線図であって、エンジンが非作動状態の場合を示している。
【図１０】第２電動機の作動点を、第１定格トルクおよび第２定格トルクと共に説明する図である。
【図１１】図２の電子制御装置による、ＥＶ−２走行中における車両のエンジン始動制御の要部を説明するフローチャートである。
【図１２】図２の電子制御装置による、ＥＶ−２走行中における始動要求の可能性のないときの第２電動機の制御を説明するフローチャートである。
【図１３】本発明が好適に適用される他のハイブリッド車両用駆動装置の構成を説明する骨子図である。
【図１４】本発明が好適に適用される更に別のハイブリッド車両用駆動装置の構成を説明する骨子図である。
【図１５】本発明が好適に適用される更に別のハイブリッド車両用駆動装置の構成を説明する骨子図である。
【図１６】本発明が好適に適用される更に別のハイブリッド車両用駆動装置の構成を説明する骨子図である。
【図１７】本発明が好適に適用される更に別のハイブリッド車両用駆動装置の構成を説明する骨子図である。
【図１８】本発明が好適に適用される更に別のハイブリッド車両用駆動装置の構成を説明する骨子図である。
【図１９】本発明が好適に適用される更に別のハイブリッド車両用駆動装置の構成および作動を説明する共線図である。
【図２０】本発明が好適に適用される更に別のハイブリッド車両用駆動装置の構成および作動を説明する共線図である。
【図２１】本発明が好適に適用される更に別のハイブリッド車両用駆動装置の構成および作動を説明する共線図である。
【発明を実施するための形態】
【００１５】  本発明において、前記第１差動機構及び第２差動機構は、前記クラッチが係合された状態において全体として４つの回転要素を有するものである。また、好適には、前記第１差動機構及び第２差動機構の要素相互間に前記クラッチに加え他のクラッチを備えた構成において、前記第１差動機構及び第２差動機構は、それら複数のクラッチが係合された状態において全体として４つの回転要素を有するものである。換言すれば、本発明は、共線図上において４つの回転要素として表される第１差動機構及び第２差動機構と、それら４つの回転要素にそれぞれ連結されたエンジン、第１電動機、第２電動機、及び出力回転部材とを、備え、前記４つの回転要素のうちの１つは、前記第１差動機構の回転要素と前記第２差動機構の回転要素とがクラッチを介して選択的に連結され、そのクラッチによる係合対象となる前記第１差動機構又は前記第２差動機構の回転要素が、非回転部材に対してブレーキを介して選択的に連結されるハイブリッド車両の駆動制御装置に好適に適用されるものである。
【００１６】  前記クラッチ及びブレーキは、好適には、何れも油圧に応じて係合状態が制御される（係合乃至解放させられる）油圧式係合装置であり、例えば、湿式多板型の摩擦係合装置等が好適に用いられるが、噛合式の係合装置すなわち所謂ドグクラッチ（噛合クラッチ）であってもよい。或いは、電磁式クラッチや磁粉式クラッチ等、電気的な指令に応じて係合状態が制御される（係合乃至解放させられる）ものであってもよい。
【００１７】  本発明が適用される駆動装置においては、前記クラッチ及びブレーキの係合状態等に応じて、複数の走行モードの何れかが選択的に成立させられる。好適には、前記エンジンの運転が停止させられると共に、前記第１電動機及び第２電動機の少なくとも一方を走行用の駆動源として用いるＥＶ走行モードにおいて、前記ブレーキが係合されると共に前記クラッチが解放されることでＥＶ−１モードが、前記ブレーキ及びクラッチが共に係合されることでＥＶ−２モードがそれぞれ成立させられる。前記エンジンを駆動させると共に、前記第１電動機及び第２電動機により必要に応じて駆動乃至発電等を行うハイブリッド走行モードにおいて、前記ブレーキが係合されると共に前記クラッチが解放されることでＨＶ−１モードが、前記ブレーキが解放されると共に前記クラッチが係合されることでＨＶ−２モードが、前記ブレーキ及びクラッチが共に解放されることでＨＶ−３モードがそれぞれ成立させられる。
【００１８】  本発明において、好適には、前記クラッチが係合させられ、且つ、前記ブレーキが解放させられている場合における前記第１差動機構及び第２差動機構それぞれにおける各回転要素の共線図における並び順は、前記第１差動機構及び第２差動機構それぞれにおける第２回転要素及び第３回転要素に対応する回転速度を重ねて表した場合に、前記第１差動機構における第１回転要素、前記第２差動機構における第１回転要素、前記第１差動機構における第２回転要素及び第２差動機構における第２回転要素、前記第１差動機構における第３回転要素及び第２差動機構における第３回転要素の順である。
【００１９】  以下、本発明の好適な実施例を図面に基づいて詳細に説明する。以下の説明に用いる図面において、各部の寸法比等は必ずしも正確には描かれていない。
【実施例１】
【００２０】  図１は、本発明が好適に適用されるハイブリッド車両用駆動装置１０（以下、単に駆動装置１０という）の構成を説明する骨子図である。この図１に示すように、本実施例の駆動装置１０は、例えばＦＦ（前置エンジン前輪駆動）型車両等に好適に用いられる横置き用の装置であり、主動力源であるエンジン１２、第１電動機ＭＧ１、第２電動機ＭＧ２、第１差動機構としての第１遊星歯車装置１４、及び第２差動機構としての第２遊星歯車装置１６を共通の中心軸ＣＥ上に備えて構成されている。駆動装置１０は、中心軸ＣＥに対して略対称的に構成されており、図１においては中心線の下半分を省略して図示している。以下の各実施例についても同様である。【００２１】  エンジン１２は、例えば、気筒内噴射されるガソリン等の燃料の燃焼によって駆動力を発生させるガソリンエンジン等の内燃機関である。第１電動機ＭＧ１及び第２電動機ＭＧ２は、好適には、何れも駆動力を発生させるモータ（発動機）及び反力を発生させるジェネレータ（発電機）としての機能を有する所謂モータジェネレータであり、それぞれのステータ（固定子）１８、２２が非回転部材であるハウジング（ケース）２６に固設されると共に、各ステータ１８、２２の内周側にロータ（回転子）２０、２４を備えて構成されている。【００２２】  第１遊星歯車装置１４は、ギヤ比がρ１であるシングルピニオン型の遊星歯車装置であり、第１回転要素としてのサンギヤＳ１、ピニオンギヤＰ１を自転及び公転可能に支持する第２回転要素としてのキャリアＣ１、及びピニオンギヤＰ１を介してサンギヤＳ１と噛み合う第３回転要素としてのリングギヤＲ１を回転要素（要素）として備えている。第２遊星歯車装置１６は、ギヤ比がρ２であるシングルピニオン型の遊星歯車装置であり、第１回転要素としてのサンギヤＳ２、ピニオンギヤＰ２を自転及び公転可能に支持する第２回転要素としてのキャリアＣ２、及びピニオンギヤＰ２を介してサンギヤＳ２と噛み合う第３回転要素としてのリングギヤＲ２を回転要素（要素）として備えている。【００２３】  第１遊星歯車装置１４のサンギヤＳ１は、第１電動機ＭＧ１のロータ２０に連結されている。第１遊星歯車装置１４のキャリアＣ１は、エンジン１２のクランク軸と一体的に回転させられる入力軸２８に連結されている。この入力軸２８は、中心軸ＣＥを軸心とするものであり、以下の実施例において、特に区別しない場合には、この中心軸ＣＥの軸心の方向を軸方向（軸心方向）という。第１遊星歯車装置１４のリングギヤＲ１は、出力回転部材である出力歯車３０に連結されると共に、第２遊星歯車装置１６のリングギヤＲ２と相互に連結されている。第２遊星歯車装置１６のサンギヤＳ２は、第２電動機ＭＧ２のロータ２４に連結されている。【００２４】  出力歯車３０から出力された駆動力は、図示しない差動歯車装置及び車軸等を介して図示しない左右一対の駆動輪へ伝達される。一方、車両の走行路面から駆動輪に対して入力されるトルクは、差動歯車装置及び車軸等を介して出力歯車３０から駆動装置１０へ伝達（入力）される。入力軸２８におけるエンジン１２と反対側の端部には、例えばベーンポンプ等の機械式オイルポンプ３２が連結されており、エン���ン１２の駆動に伴い後述する油圧制御回路６０等の元圧とされる油圧が出力されるようになっている。このオイルポンプ３２に加えて、電気エネルギにより駆動される電動式オイルポンプが設けられたものであってもよい。【００２５】  第１遊星歯車装置１４のキャリアＣ１と第２遊星歯車装置１６のキャリアＣ２との間には、それらキャリアＣ１とＣ２との間を選択的に係合させる（キャリアＣ１とＣ２との間を断接する）クラッチＣＬが設けられている。第２遊星歯車装置１６のキャリアＣ２と非回転部材であるハウジング２６との間には、そのハウジング２６に対してキャリアＣ２を選択的に係合（固定）させるブレーキＢＫが設けられている。これらのクラッチＣＬ及びブレーキＢＫは、好適には、何れも油圧制御回路６０から供給される油圧に応じて係合状態が制御される（係合乃至解放させられる）油圧式係合装置であり、例えば、湿式多板型の摩擦係合装置等が好適に用いられるが、噛合式の係合装置すなわち所謂ドグクラッチ（噛合クラッチ）であってもよい。更には、電磁式クラッチや磁粉式クラッチ等、電子制御装置４０から供給される電気的な指令に応じて係合状態が制御される（係合乃至解放させられる）ものであってもよい。【００２６】  図１に示すように、駆動装置１０において、第１遊星歯車装置１４及び第２遊星歯車装置１６は、それぞれ入力軸２８と同軸上（中心軸ＣＥ上）に配置されており、且つ、中心軸ＣＥの軸方向において対向する位置に配置されている。すなわち、中心軸ＣＥの軸方向に関して、第１遊星歯車装置１４は、第２遊星歯車装置１６に対してエンジン１２側に配置されている。中心軸ＣＥの軸方向に関して、第１電動機ＭＧ１は、第１遊星歯車装置１４に対してエンジン１２側に配置されている。中心軸ＣＥの軸方向に関して、第２電動機ＭＧ１は、第２遊星歯車装置１６に対してエンジン１２の反対側に配置されている。すなわち、第１電動機ＭＧ１、第２電動機ＭＧ２は、中心軸ＣＥの軸方向に関して、第１遊星歯車装置１４及び第２遊星歯車装置１６を間に挟んで対向する位置に配置されている。すなわち、駆動装置１０においては、中心軸ＣＥの軸方向において、エンジン１２側から第１電動機ＭＧ１、第１遊星歯車装置１４、クラッチＣＬ、第２遊星歯車装置１６、ブレーキＢＫ、第２電動機ＭＧ２の順でそれらの構成が同軸上に配置されている。【００２７】  図２は、駆動装置１０の駆動を制御するためにその駆動装置１０に備えられた制御系統の要部を説明する図である。この図２に示す電子制御装置４０は、ＣＰＵ、ＲＯＭ、ＲＡＭ、及び入出力インターフェイス等を含んで構成され、ＲＡＭの一時記憶機能を利用しつつＲＯＭに予め記憶されたプログラムに従って信号処理を実行する所謂マイクロコンピュータであり、エンジン１２の駆動制御や、第１電動機ＭＧ１及び第２電動機ＭＧ２に関するハイブリッド駆動制御をはじめとする駆動装置１０の駆動に係る各種制御を実行する。すなわち、本実施例においては、電子制御装置４０が駆動装置１０の適用されたハイブリッド車両の駆動制御装置に相当する。この電子制御装置４０は、エンジン１２の出力制御用や第１電動機ＭＧ１及び第２電動機ＭＧ２の作動制御用といったように、必要に応じ���各制御毎に個別の制御装置として構成される。【００２８】  図２に示すように、電子制御装置４０には、駆動装置１０の各部に設けられたセンサやスイッチ等から各種信号が供給されるように構成されている。すなわち、パーキングポジション、ニュートラルポジション、前進走行ポジション、後進走行ポジションなどへ手動操作されることに応答してシフト操作装置４１から出力される操作位置信号Ｓｈ、アクセル開度センサ４２により運転者の出力要求量に対応する図示しないアクセルペダルの操作量であるアクセル開度ＡCCを表す信号、エンジン回転速度センサ４４によりエンジン１２の回転速度であるエンジン回転速度ＮEを表す信号、ＭＧ１回転速度センサ４６により第１電動機ＭＧ１の回転速度ＮMG1を表す信号、ＭＧ２回転速度センサ４８により第２電動機ＭＧ２の回転速度ＮMG2を表す信号、出力回転速度センサ５０により車速Ｖに対応する出力歯車３０の回転速度ＮOUTを表す信号、車輪速センサ５２により駆動装置１０における各車輪それぞれの速度ＮWを表す信号、及びバッテリＳＯＣセンサ５４により図示しないバッテリの充電容量（充電状態）ＳＯＣを表す信号等が、それぞれ上記電子制御装置４０に供給される。【００２９】  電子制御装置４０からは、駆動装置１０の各部に作動指令が出力されるように構成されている。すなわち、エンジン１２の出力を制御するエンジン出力制御指令として、燃料噴射装置による吸気配管等への燃料供給量を制御する燃料噴射量信号、点火装置によるエンジン１２の点火時期（点火タイミング）を指令する点火信号、及び電子スロットル弁のスロットル弁開度θTHを操作するためにスロットルアクチュエータへ供給される電子スロットル弁駆動信号等が、そのエンジン１２の出力を制御するエンジン制御装置５６へ出力される。第１電動機ＭＧ１及び第２電動機ＭＧ２の作動を指令する指令信号がインバータ５８へ出力され、そのインバータ５８を介してバッテリからその指令信号に応じた電気エネルギが第１電動機ＭＧ１及び第２電動機ＭＧ２に供給されてそれら第１電動機ＭＧ１及び第２電動機ＭＧ２の出力（トルク）が制御される。第１電動機ＭＧ１及び第２電動機ＭＧ２により発電された電気エネルギがインバータ５８を介してバッテリに供給され、そのバッテリに蓄積されるようになっている。クラッチＣＬ、ブレーキＢＫの係合状態を制御する指令信号が油圧制御回路６０に備えられたリニアソレノイド弁等の電磁制御弁へ供給され、それら電磁制御弁から出力される油圧が制御されることでクラッチＣＬ、ブレーキＢＫの係合状態が制御されるようになっている。【００３０】  駆動装置１０は、第１電動機ＭＧ１及び第２電動機ＭＧ２を介して運転状態が制御されることにより、入力回転速度と出力回転速度の差動状態が制御される電気式差動部として機能する。例えば、第１電動機ＭＧ１により発電された電気エネルギをインバータ５８を介してバッテリや第２電動機ＭＧ２へ供給する。これにより、エンジン１２の動力の主要部は機械的に出力歯車３０へ伝達される一方、その動力の一部は第１電動機ＭＧ１の発電のために消費されてそこで電気エネルギに変換され、インバータ５８を通してその電気エネルギが第２電動機ＭＧ２へ供給される。そして��その第２電動機ＭＧ２が駆動されて第２電動機ＭＧ２から出力された動力が出力歯車３０へ伝達される。この電気エネルギの発生から第２電動機ＭＧ２で消費されるまでに関連する機器により、エンジン１２の動力の一部を電気エネルギに変換し、その電気エネルギを機械的エネルギに変換するまでの電気パスが構成される。【００３１】  以上のように構成された駆動装置１０が適用されたハイブリッド車両においては、エンジン１２、第１電動機ＭＧ１、及び第２電動機ＭＧ２の駆動状態、及びクラッチＣＬ、ブレーキＢＫの係合状態等に応じて、複数の走行モードの何れかが選択的に成立させられる。図３は、駆動装置１０において成立させられる５種類の走行モードそれぞれにおけるクラッチＣＬ、ブレーキＢＫの係合状態を示す係合表であり、係合を「○」で、解放を空欄でそれぞれ示している。この図３に示す「ＥＶ−１モード」、「ＥＶ−２モード」は、何れもエンジン１２の運転が停止させられると共に、第１電動機ＭＧ１及び第２電動機ＭＧ２の少なくとも一方を走行用の駆動源として用いる電動機走行モードである。「ＨＶ−１モード」、「ＨＶ−２モード」、「ＨＶ−３モード」は、何れもエンジン１２を例えば走行用の駆動源として駆動させると共に、第１電動機ＭＧ１及び第２電動機ＭＧ２により必要に応じて駆動乃至発電等を行うエンジン走行モードである。このエンジン走行モードにおいて、第１電動機ＭＧ１及び第２電動機ＭＧ２の少なくとも一方により反力を発生させるものであってもよく、無負荷の状態で空転させるものであってもよい。【００３２】  図３に示すように、駆動装置１０においては、エンジン１２の運転が停止させられると共に、第１電動機ＭＧ１及び第２電動機ＭＧ２の少なくとも一方を走行用の駆動源として用いるＥＶ走行モードにおいて、ブレーキＢＫが係合されると共にクラッチＣＬが解放されることで走行モード１である「ＥＶ−１モード」が、ブレーキＢＫ及びクラッチＣＬが共に係合されることで走行モード２である「ＥＶ−２モード」がそれぞれ成立させられる。エンジン１２を例えば走行用の駆動源として駆動させると共に、第１電動機ＭＧ１及び第２電動機ＭＧ２により必要に応じて駆動乃至発電等を行うエンジン走行モードにおいて、ブレーキＢＫが係合されると共にクラッチＣＬが解放されることで走行モード３である「ＨＶ−１モード」が、ブレーキＢＫが解放されると共にクラッチＣＬが係合されることで走行モード４である「ＨＶ−２モード」が、ブレーキＢＫ及びクラッチＣＬが共に解放されることで走行モード５である「ＨＶ−３モード」がそれぞれ成立させられる。【００３３】  図４〜図７は、駆動装置１０（第１遊星歯車装置１４及び第２遊星歯車装置１６）において、クラッチＣＬ及びブレーキＢＫそれぞれの係合状態に応じて連結状態が異なる各回転要素の回転速度の相対関係を直線上で表すことができる共線図を示しており、横軸方向において第１遊星歯車装置１４及び第２遊星歯車装置１６のギヤ比ρの相対関係を示し、縦軸方向において相対的回転速度を示す二次元座標である。車両前進時における出力歯車３０の回転方向を正の方向（正回転）として各回転速度を表している。横線Ｘ１は回転速度零を示している。縦線Ｙ１〜Ｙ４は、左から順に実線Ｙ１が第１遊星歯車装置１４のサンギヤＳ１（第１電動機ＭＧ１）、破線Ｙ２が第２遊星歯車装置１６のサンギヤＳ２（第２電動機ＭＧ２）、実線Ｙ３が第１遊星歯車装置１４のキャリアＣ１（エンジン１２）、破線Ｙ３′が第２遊星歯車装置１６のキャリアＣ２、実線Ｙ４が第１遊星歯車装置１４のリングギヤＲ１（出力歯車３０）、破線Ｙ４′が第２遊星歯車装置１６のリングギヤＲ２それぞれの相対回転速度を示している。図４〜図７においては、縦線Ｙ３及びＹ３′、縦線Ｙ４及びＹ４′をそれぞれ重ねて表している。ここで、リングギヤＲ１及びＲ２は相互に連結されているため、縦線Ｙ４、Ｙ４′にそれぞれ示すリングギヤＲ１及びＲ２の相対回転速度は等しい。【００３４】  図４〜図７においては、第１遊星歯車装置１４における３つの回転要素の相対的な回転速度を実線Ｌ１で、第２遊星歯車装置１６における３つの回転要素の相対的な回転速度を破線Ｌ２でそれぞれ示している。縦線Ｙ１〜Ｙ４（Ｙ２〜Ｙ４′）の間隔は、第１遊星歯車装置１４及び第２遊星歯車装置１６の各ギヤ比ρ１、ρ２に応じて定められている。すなわち、第１遊星歯車装置１４における３つの回転要素に対応する縦線Ｙ１、Ｙ３、Ｙ４に関して、サンギヤＳ１とキャリアＣ１との間が１に対応するものとされ、キャリアＣ１とリングギヤＲ１との間がρ１に対応するものとされる。第２遊星歯車装置１６における３つの回転要素に対応する縦線Ｙ２、Ｙ３′、Ｙ４′に関して、サンギヤＳ２とキャリアＣ２との間が１に対応するものとされ、キャリアＣ２とリングギヤＲ２との間がρ２に対応するものとされる。すなわち、駆動装置１０において、好適には、第１遊星歯車装置１４のギヤ比ρ１よりも第２遊星歯車装置１６のギヤ比ρ２の方が大きい（ρ２＞ρ１）。以下、図４〜図７を用いて駆動装置１０における各走行モードについて説明する。【００３５】  図３に示す「ＥＶ−１モード」は、駆動装置１０における第１の電動機走行モードに相当するものであり、好適には、エンジン１２の運転が停止させられると共に、第２電動機ＭＧ２が走行用の駆動源として用いられる電動機走行モードである。図４は、このＥＶ−１モードに対応する共線図であり、この共線図を用いて説明すれば、クラッチＣＬが解放されることで第１遊星歯車装置１４のキャリアＣ１と第２遊星歯車装置１６のキャリアＣ２との相対回転が可能とされている。ブレーキＢＫが係合されることで第２遊星歯車装置１６のキャリアＣ２が非回転部材であるハウジング２６に対して連結（固定）され、その回転速度が零とされている。このＥＶ−１モードにおいては、第２遊星歯車装置１６において、サンギヤＳ２の回転方向と回転方向とが逆方向となり、第２電動機ＭＧ２により負のトルク（負の方向のトルク）が出力されると、そのトルクによりリングギヤＲ２すなわち出力歯車３０は正の方向に回転させられる。すなわち、第２電動機ＭＧ２により負のトルクを出力させることにより、駆動装置１０の適用されたハイブリッド車両を前進走行させることができる。この場合において、第１電動機ＭＧ１は空転させられる。このＥＶ−１モードでは、クラッチＣ１及びＣ２の相対回転が許容されると共に、そのクラッチＣ２が非���転部材に連結された所謂ＴＨＳ（Toyota Hybrid System）を搭載した車両におけるＥＶ(電気)走行と同様の、第２電動機ＭＧ２による前進或いは後進のＥＶ走行制御を行うことができる。【００３６】  図３に示す「ＥＶ−２モード」は、駆動装置１０における第２の電動機走行モードに相当するものであり、好適には、エンジン１２の運転が停止させられると共に、第１電動機ＭＧ１及び第２電動機ＭＧ２の少なくとも一方が走行用の駆動源として用いられるＥＶ走行モードである。図５は、このＥＶ−２モードに対応する共線図であり、この共線図を用いて説明すれば、クラッチＣＬが係合されることで第１遊星歯車装置１４のキャリアＣ１と第２遊星歯車装置１６のキャリアＣ２との相対回転が不能とされている。更に、ブレーキＢＫが係合されることで第２遊星歯車装置１６のキャリアＣ２及びそのキャリアＣ２に係合された第１遊星歯車装置１４のキャリアＣ１が非回転部材であるハウジング２６に対して連結（固定）され、その回転速度が零とされている。このＥＶ−２モードにおいては、第１遊星歯車装置１４において、サンギヤＳ１の回転方向とリングギヤＲ１の回転方向とが逆方向となると共に、第２遊星歯車装置１６において、サンギヤＳ２の回転方向とリングギヤＲ２の回転方向とが逆方向となる。すなわち、第１電動機ＭＧ１乃至第２電動機ＭＧ２により負のトルク（負の方向のトルク）が出力されると、そのトルクによりリングギヤＲ１及びＲ２すなわち出力歯車３０は正の方向に回転させられる。すなわち、第１電動機ＭＧ１及び第２電動機ＭＧ２の少なくとも一方により、駆動装置１０の適用されたハイブリッド車両を前進走行或いは後進走行させることができる。【００３７】  ＥＶ−２モードにおいては、第１電動機ＭＧ１及び第２電動機ＭＧ２の少なくとも一方により発電を行う形態を成立させることもできる。この形態においては、第１電動機ＭＧ１及び第２電動機ＭＧ２の一方或いは両方により走行用の駆動力（トルク）を分担して発生させることが可能となり、各電動機を効率の良い動作点で動作させたり、熱によるトルク制限等の制約を緩和する走行等が可能となる。更に、バッテリの充電状態が満充電の場合等、回生による発電が許容されない場合に、第１電動機ＭＧ１及び第２電動機ＭＧ２の一方或いは両方を空転させることも可能である。すなわち、ＥＶ−２モードにおいては、幅広い走行条件においてＥＶ走行を行うことや、長時間継続してＥＶ走行を行うことが可能となる。従って、ＥＶ−２モードは、プラグインハイブリッド車両等、ＥＶ走行を行う割合が高いハイブリッド車両において好適に採用される。【００３８】  図３に示す「ＨＶ−１モード」は、駆動装置１０における第１エンジン走行モードに相当するものであり、好適には、エンジン１２が駆動されて走行用の駆動源として用いられると共に、必要に応じて第１電動機ＭＧ１及び第２電動機ＭＧ２による駆動乃至発電が行われるハイブリッド走行モードである。図４の共線図は、このＨＶ−１モードに対応するものでもあり、この共線図を用いて説明すれば、クラッチＣＬが解放されることで第１遊星歯車装置１４のキャリアＣ１と第２遊星歯車装置１６のキャリアＣ２との相対回転が可能とされている。ブレーキＢＫが係合されることで第２遊星歯車装置１６のキャリアＣ２が非回転部材であるハウジング２６に対して連結（固定）され、その回転速度が零とされている。このＨＶ−１モードにおいては、エンジン１２が駆動させられ、その出力トルクにより出力歯車３０が回転させられる。この際、第１遊星歯車装置１４において、第１電動機ＭＧ１により反力トルクを出力させることで、エンジン１２から出力歯車３０への伝達が可能とされる。第２遊星歯車装置１６においては、ブレーキＢＫが係合されていることで、サンギヤＳ２の回転方向とリングギヤＲ２の回転方向とが逆方向となる。すなわち、第２電動機ＭＧ２により負のトルク（負の方向のトルク）が出力されると、そのトルクによりリングギヤＲ１及びＲ２すなわち出力歯車３０は正の方向に回転させられる。【００３９】  図３に示す「ＨＶ−２モード」は、駆動装置１０における第２エンジン走行モードに相当するものであり、好適には、エンジン１２が駆動されて走行用の駆動源として用いられると共に、必要に応じて第１電動機ＭＧ１及び第２電動機ＭＧ２による駆動乃至発電が行われるハイブリッド走行モードである。図６は、このモード４に対応する共線図であり、この共線図を用いて説明すれば、クラッチＣＬが係合されることで第１遊星歯車装置１４のキャリアＣ１と第２遊星歯車装置１６のキャリアＣ２との相対回転が不能とされており、キャリアＣ１及びＣ２が一体的に回転させられる１つの回転要素として動作する。リングギヤＲ１及びＲ２は相互に連結されていることで、それらリングギヤＲ１及びＲ２は一体的に回転させられる１つの回転要素として動作する。すなわち、ＨＶ−２モードにおいて、駆動装置１０における第１遊星歯車装置１４及び第２遊星歯車装置１６における回転要素は、全体として４つの回転要素を備えた差動機構として機能する。すなわち、図６において紙面向かって左から順に示す４つの回転要素であるサンギヤＳ１（第１電動機ＭＧ１）、サンギヤＳ２（第２電動機ＭＧ２）、相互に連結されたキャリアＣ１及びＣ２（エンジン１２）、相互に連結されたリングギヤＲ１及びＲ２（出力歯車３０）の順に結合した複合スプリットモードとなる。【００４０】  図６に示すように、ＨＶ−２モードにおいて、好適には、第１遊星歯車装置１４及び第２遊星歯車装置１６における各回転要素の共線図における並び順が、縦線Ｙ１で示すサンギヤＳ１、縦線Ｙ２で示すサンギヤＳ２、縦線Ｙ３（Ｙ３′）で示すキャリアＣ１及びＣ２、縦線Ｙ４（Ｙ４′）で示すリングギヤＲ１及びＲ２の順となる。第１遊星歯車装置１４及び第２遊星歯車装置１６それぞれのギヤ比ρ１、ρ２は、共線図において図６に示すようにサンギヤＳ１に対応する縦線Ｙ１とサンギヤＳ２に対応する縦線Ｙ２とが上記の並び順となるように、すなわち縦線Ｙ１と縦線Ｙ３との間隔が、縦線Ｙ２と縦線Ｙ３′との間隔よりも広くなるように定められている。換言すれば、サンギヤＳ１、Ｓ２とキャリアＣ１、Ｃ２との間が１に対応するものとされ、キャリアＣ１、Ｃ２とリングギヤＲ１、Ｒ２との間がρ１、ρ２に対応することから、駆動装置１０においては、第１遊星歯車装置１４のギヤ比ρ１よりも第２遊星歯車装置１６のギヤ比ρ２の方が大きい。��００４１】  ＨＶ−２モードにおいては、クラッチＣＬが係合されることで第１遊星歯車装置１４のキャリアＣ１と第２遊星歯車装置１６のキャリアＣ２とが連結されており、それらキャリアＣ１及びＣ２が一体的に回転させられる。このため、エンジン１２の出力に対して、第１電動機ＭＧ１及び第２電動機ＭＧ２の何れによっても反力を受けることができる。すなわち、エンジン１２の駆動に際して、その反力を第１電動機ＭＧ１及び第２電動機ＭＧ２の一方乃至両方で分担して受けることが可能となり、効率の良い動作点で動作させたり、熱によるトルク制限等の制約を緩和する走行等が可能となる。【００４２】  図３に示す「ＨＶ−３モード」は、駆動装置１０における第３エンジン走行モードに相当するものであり、好適には、エンジン１２が駆動されて走行用の駆動源として用いられると共に第１電動機ＭＧ１による発電が行われて連続的に変速比が可変とされ、エンジン１２の作動点が予め設定された最適曲線に沿って作動させられるハイブリッド走行モードである。このＨＶ−３モードにおいては、第２電動機ＭＧ２を駆動系から切り離してエンジン１２及び第１電動機ＭＧ１により駆動を行う等の形態を実現することができる。図７は、このＨＶ−３モードに対応する共線図であり、この共線図を用いて説明すれば、クラッチＣＬが解放されることで第１遊星歯車装置１４のキャリアＣ１と第２遊星歯車装置１６のキャリアＣ２との相対回転が可能とされている。ブレーキＢＫが解放されることで第２遊星歯車装置１６のキャリアＣ２が非回転部材であるハウジング２６に対して相対回転可能とされている。斯かる構成においては、第２電動機ＭＧ２を駆動系（動力伝達経路）から切り離して停止させておくことが可能である。【００４３】  ＨＶ−１モードにおいては、ブレーキＢＫが係合されているため、車両走行時において第２電動機ＭＧ２は出力歯車３０（リングギヤＲ２）の回転に伴い常時回転させられる。斯かる形態において、比較的高回転となる領域では第２電動機ＭＧ２の回転速度が限界値（上限値）に達することや、リングギヤＲ２の回転速度が増速されてサンギヤＳ２に伝達されること等から、効率向上の観点からは比較的高車速時に第２電動機ＭＧ２を常時回転させておくことは必ずしも好ましくない。一方、ＨＶ−３モードにおいては、比較的高車速時に第２電動機ＭＧ２を駆動系から切り離してエンジン１２及び第１電動機ＭＧ１により駆動を行う形態を実現することで、その第２電動機ＭＧ２の駆動が不要な場合における引き摺り損失を低減できることに加え、その第２電動機ＭＧ２に許容される最高回転速度（上限値）に起因する最高車速への制約を解消すること等が可能とされる。【００４４】  以上の説明から明らかなように、駆動装置１０においては、エンジン１２が駆動されて走行用の駆動源として用いられると共に、必要に応じて第１電動機ＭＧ１及び第２電動機ＭＧ２による駆動乃至発電が行われるハイブリッド走行に関して、クラッチＣＬ及びブレーキＢＫの係合乃至解放の組み合わせにより、ＨＶ−１モード、ＨＶ−２モード、及びＨＶ−３モードの３つのモードを選択的に成立させることができる。これにより、例えば車両の車速や変速比等に応じてそれら３つのモードのうち最も伝達効率の高いモードを選択的に成立させることで、伝達効率の向上延いては燃費の向上を実現することができる。【００４５】  図８は、図２の電子制御装置４０の制御機能の要部を説明する機能ブロック線図である。図８において、シフトポジション判定部７０は、シフト操作装置４１において手動操作されたシフトポジションを、シフト操作装置４１から出力される操作位置信号Ｓｈに基づいて判定する。始動要求判定部７２は、アクセル開度ＡCCおよび出力歯車３０の回転速度ＮOUTに対応する車速Ｖに基づいて決定される運転者の要求出力が所定値よりも大きくなったこと、図示しない蓄電装置の充電残量ＳＯＣが予め設定された下限値を下回ったこと、エンジン１２の暖気或いは潤滑の必要性が発生したことなどに起因してエンジン１２の始動要求が出されたか否かを判定する。モード判定部７４は、ＥＶ−１モード、ＥＶ−２モード、ＨＶ−１モード、ＨＶ−２モード、及びＨＶ−３モードの５つのモードのいずれが成立しているかを、要求駆動力、車速Ｖ及びアクセル開度ＡCC、ＳＯＣ、作動温度などの車両パラメータ、エンジン制御装置５６やインバータ５８の出力状態、モード切換制御部７６の出力状態、或いは既に設定されたフラグなどに基づいて判定する。【００４６】  モード切換制御部７６は、駆動装置１０において成立させる走行モードを、モード判定部７４の判定結果に従って切り換える。たとえば、車速Ｖ及びアクセル開度ＡCCに基づいて判定される運転者の要求駆動力が予め設定された電気走行領域およびエンジン走行領域のいずれであるかに基づいて、或いはＳＯＣに基づく要求に基づいて、電気走行かハイブリッド走行であるか否かを判定する。電気走行が選択された場合には、ＳＯＣに基づく要求や運転者の選択などに基づいて、ＥＶ−１モードおよびＥＶ−２モードの一方を選択する。ハイブリッド走行が選択された場合は、エンジン１２の効率および伝達効率、要求駆動力の大きさなどに基づいて、駆動力および燃費が両立するように、ＨＶ−１モード、ＨＶ−２モード、及びＨＶ−３モードのいずれかを選択する。たとえば、低車速のローギヤ(高減速比域)ではＨＶ−１モードの成立が選択され、中車速の中域ギヤ(中減速比域)ではＨＶ−２モードの成立が選択され、高車速のハイギヤ(低減速比域)ではＨＶ−３モードの成立が選択される。このモード切換制御部７６は、、たとえば第１電動機ＭＧ１および第２電動機ＭＧ２を駆動源とする電動機走行ＥＶ−２からエンジン走行モードＨＶ−１モードへ切り換える場合は、それまで係合していたクラッチＣＬおよびブレーキＢＫのうち、油圧制御回路６０を介してクラッチＣＬを解放して第１電動機ＭＧ１によりエンジン１２を始動させ、ブレーキＢＫの係合を継続させる。すなわち、図５の共線図に示す状態から図４の共線図に示す状態とされる。【００４７】  始動可能性判定部７８は、エンジン１２の始動要求が発生する可能性のある状態であるか或いはエンジン１２の始動可能性のない状態であるかを判定する。たとえば、運転者の急加速や急ブレーキ操作のない定常運転指向であるとき、図示しない蓄電装置の充電残量ＳＯＣが予め設定された上限値付近の満充電状態であるとき、エンジン１２の冷却水温度或いは油温が予め設定された暖気判定温度よりも高いときなどの場合は、エンジン１２の始動要求の発生可能性のない状態であると判定する。【００４８】  トルク補償制御部８０は、シフト操作位置がＤポジションであることがシフトポジション判定部７０により判定され、エンジン１２の始動要求が出されたことが始動要求判定部７２により判定され、第１電動機ＭＧ１および第２電動機ＭＧ２を駆動源とするＥＶ−２モード（第２の電動機走行モード）で電動機走行中であることがモード判定部７４により判定されると、始動制御部８２によるエンジン始動制御の開始に先立ってトルク補償制御を実行し、その始動制御が終了するまで継続する。このトルク補償制御では、それまでのＥＶ−２の電動機走行の駆動源として機能していた第１電動機ＭＧ１および第２電動機ＭＧ２のうちの第１電動機ＭＧ１の出力トルクが零に向かって減少させられるとともに、その第１電動機ＭＧ１に出力トルク減少に起因する車両の駆動トルクの減少分を補って駆動トルクが維持されるようにモータ制御部８４を介して第２電動機ＭＧ２の出力トルクが増加させられる。【００４９】  始動制御部８２は、上記トルク補償制御によって第１電動機ＭＧ１のトルクが零に到達すると、図９に示すように、それまでブレーキＢＫと共に係合していたクラッチＣＬを解放し、第１電動機ＭＧ１を用いてエンジン１２を回転駆動してその回転速度を立ち上げ、その回転速度の上昇過程で燃料噴射および点火を行なってエンジン１２を自律回転状態とする。この時点までトルク補償制御部８０によるトルク補償制御が実行されることにより、ハイブリッド車両において、ＥＶ−２での電動機走行中のエンジン始動時に発生する駆動トルクの一時的な低下すなわちトルク抜けが緩和或いは解消される。このようにしてエンジン１２が起動させられると、係合状態が維持されていたブレーキＢＫに基づくＨＶ−１モードのエンジン走行が開始される。【００５０】  ここで、電動機走行モードたとえばＥＶ−２モードでは、第１電動機ＭＧ１および第２電動機ＭＧ２は、図１０に示すように、たとえば短時間定格に相当する相対的に大きく設定された第１定格トルクＴ１よりも所定の余裕値Ｍだけ小さくして連続定格用に設定された第２定格トルクＴ２内の運転点で作動させられる。しかし、始動制御部８２は、エンジン始動時には、第１電動機ＭＧ１による出力トルクを大きくしてエンジン回転立ち上がりを速やかとし、且つそれでもエンジン始動時の駆動トルクのトルク抜けが確実に抑制されるように、第２電動機ＭＧ２を、第２定格トルクＴ２を越えた領域たとえば第１定格トルクＴ１上またはそれの近傍の運転点で一時的に作動させる。【００５１】  また、第１電動機ＭＧ１および第２電動機ＭＧ２は、電動機走行モードたとえばＥＶ−２モード（第２の電動機走行モード）では、運転者の要求駆動力を満たす範囲で、相対的に電動機のエネルギ効率が良い領域内の運転点で作動させられる。たとえば、第２電動機ＭＧ２は、図１０に示す９０％領域内の動作点で作動させられる。しかし、始動制御部８２は、エンジン始動時には、第１電動機ＭＧ１による出力トルクを大きくしてエンジン回転立ち上がりを速やかとし、且つそれでもエンジン始動時���駆動トルクのトルク抜けが確実に抑制されるように、その効率が良い領域から離れて第２定格トルクＴ２を越えた領域の運転点たとえば第１定格ゴルクＴ１上またはその近傍の運転点で一時的に作動させる。【００５２】  また、始動制御部８２は、ＥＶ−２モードにおいて、始動可能性判定部７８によりエンジン始動要求の発生可能性が低い状態であると判定された場合には、余裕値Ｍ分だけ高トルクとなるように第２電動機ＭＧ２を第２定格トルクＴ２を越えた領域内の運転点で作動させる。【００５３】  図１１および図１２は、図２の電子制御装置４０の後進走行制御作動の要部をそれぞれ説明するフローチャートであり、所定の制御周期で繰り返し実行される。【００５４】  図１１において、先ず、モード切換制御部７６に対応するステップ（以下、ステップを省略する）Ｓ１１において、ＥＶ−２モードの電動機走行であるか否かが判定される。このＳ１１の判定が否定される場合は本ルーチンが終了させられるが、肯定される場合は、始動要求判定部７２に対応するＳ１２において、始動要求が出されたか否かすなわちＥＶ−２モードからエンジン走行モードＨＶ−１への遷移があるか否かが判定される。このＳ１２の判定が否定される場合は本ルーチンが終了させられるが、肯定される場合は、始動制御部８２に対応するＳ１３が実行される。【００５５】  このＳ１３では、トルク補償制御が実行される。すなわち、それまでのＥＶ−２の電動機走行の駆動源として機能していた第１電動機ＭＧ１および第２電動機ＭＧ２のうちの第１電動機ＭＧ１の出力トルクが零に向かって減少させられるとともに、その第１電動機ＭＧ１に出力トルク減少に起因する車両の駆動トルクの減少分を補って駆動トルクが維持されるように第２電動機ＭＧ２の出力トルクが増加させられる。【００５６】  ついで、Ｓ１４では、第１電動機ＭＧ１の出力トルクが零に到達したか否かが判断される。このＳ１４の判断が否定されるうちは上記Ｓ１３以下が繰り返し実行される。しかし、Ｓ１４の判断が肯定されると、始動制御部８２に対応するＳ１５において、エンジン始動制御が実行される。すなわち、クラッチＣＬが解放されるとともに、第１電動機ＭＧ１によりエンジン回転速度が引き上げられ且つ燃料噴射および点火が行なわれてエンジン１２の始動が行なわれる。この起動制御によってエンジン１２が自律回転させられる状態となると、前記トルク補償制御およびこの起動制御が終了させられる。このようにしてエンジン１２が起動させられると、ブレーキＢＫの係合に基づくＨＶ−１のエンジン走行が開始される。この起動制御では、比較的短時間の作動となるので、第２電動機ＭＧ２は、図１０のエネルギ効率が高い領域から離れ、且つ第２定格トルクＴ２を越えた領域での運転点で作動させられ、定常時よりも大きなトルクが出力される。【００５７】  続く図１２において、Ｓ２１では、ＥＶ−２での電動機走行中であるか否かが判断される。このＳ２１の判断が否定される場合は本ルーチンが終了させられるが、肯定される場合は、始動可能性判定部７８に対応するＳ２２において、エンジン始動要求の発生可能性が低い状態であるか否か、すなわち、ＥＶ−２からＨＶ−１への遷移の可能性が低い状態であるか���かが判断される。このＳ２２の判断が否定される場合は本ルーチンが終了させられるが、肯定される場合は、始動制御部８２に対応するＳ２３において、第２電動機ＭＧ２が出力可能な最大トルクであった第２定格トルクＴ２を越えた領域での運転点を設定可能とし、第１定格トルクＴ１との間の差、前記余裕値Ｍよりも小さく、好適には零に設定する。【００５８】  上述のように、本実施例のハイブリッド車両の駆動制御装置１０によれば、第１電動機ＭＧ１に連結されたサンギヤＳ１(第１回転要素）、エンジン１２に連結されたキャリヤＣ１（第２回転要素）、及び出力歯車３０(出力回転部材)に連結されたリングギヤＲ１(第３回転要素)を有する第１遊星歯車装置１４(第１差動機構)と、第２電動機ＭＧ２に連結されたサンギヤＳ２（第１回転要素）、キャリヤＣ２（第２回転要素）、及びリングギヤＲ２（第３回転要素）を有し、それら第２回転要素及び第３回転要素の何れか一方が第１遊星歯車装置１４(第１差動機構)における第３回転要素に連結された第２遊星歯車装置１６(第２差動機構)と、第１遊星歯車装置１４  におけるキャリヤＣ１（第２回転要素）と、第２遊星歯車装置１６におけるキャリヤＣ２（第２回転要素）及びリングギヤＲ２（第３回転要素）のうち第１遊星歯車装置１４におけるリングギヤＲ２（第３回転要素）に連結されていない方の回転要素とを選択的に係合させるクラッチＣＬと、第２遊星歯車装置１６(第２差動機構)におけるキャリヤＣ２（第２回転要素）及びリングギヤＲ２（第３回転要素）のうち第１遊星歯車装置１４におけるリングギヤＲ２（第３回転要素）に連結されていない方の回転要素を、ハウジング２６(非回転部材)に対して選択的に係合させるブレーキＢＫとを備え、ブレーキＢＫを係合させて専ら第２電動機ＭＧ２で車両を駆動するＥＶ−１（第１の電動機走行モード）と、ブレーキＢＫおよびクラッチＣＬを係合させて第１電動機ＭＧ１および第２電動機ＭＧ２で車両を駆動するＥＶ−２モード（第２の電動機走行モード）とから選択されたいずれかのモードで電動機走行が行なわれるハイブリッド車両において、ＥＶ−２モード（第２の電動機走行モード）で電動機走行中にエンジン１２を始動させるに際しては、第２電動機ＭＧ２の出力トルクが増加させられるとともに、クラッチＣＬが解放されて第１電動機ＭＧ１によりエンジン１２が回転駆動される。このため、車両駆動力に寄与していた第１電動機ＭＧ１の出力トルクの低下分に相当する車両の駆動トルクの低下分が、第２電動機ＭＧ２の出力トルクの増加に相当する駆動トルクの増加によって補償されるので、車両の駆動トルクの変化が緩和されてトルク抜けの発生が抑制される。【００５９】  また、本実施例のハイブリッド車両の駆動制御装置１０によれば、第２電動機ＭＧ２は、ＥＶ−２モード（第２の電動機走行モード）では、相対的に大きく設定された第１定格トルクＴ１よりも所定の余裕値Ｍだけ小さく設定された第２定格トルクＴ２内の運転点で作動させられるが、エンジン始動時には、その第２定格トルクＴ２を越えた運転点で作動させられる。このため、ＥＶ−２モード（第２の電動機走行モード）では、定常運転で過熱のない電動機走行が得られるとともに、エンジン始動時において���２電動機ＭＧ２の出力トルクが電動機走行で許容された第２定格トルクＴ２よりも大きいトルクを一時的に出力できるので、エンジン始動時の駆動トルクのトルク抜けが確実に抑制される。【００６０】  また、本実施例のハイブリッド車両の駆動制御装置１０によれば、第１電動機ＭＧ１および第２電動機ＭＧ２は、ＥＶ−２モード（第２の電動機走行モード）では、運転者の要求駆動力を満たす範囲で、相対的に効率が良い領域内の運転点で作動させられるが、エンジン始動時は、その効率が良い領域内の運転点から離れて第２定格トルクＴ２を越えた運転点で作動させられる。このため、ＥＶ−２モード（第２の電動機走行モード）では、効率のよい電動機走行が得られるとともに、エンジン始動時においては、第２電動機ＭＧ２の出力トルクが電動機走行で許容された第２定格トルクＴ２よりも大きいトルクを一時的に出力できるので、エンジン始動時の駆動トルクのトルク抜けが確実に抑制される。【００６１】  また、本実施例のハイブリッド車両の駆動制御装置１０によれば、ＥＶ−２モード（第２の電動機走行モード）において、エンジン始動要求の発生可能性が低い状態では、第２電動機ＭＧ２は第２定格トルクＴ２を越えた運転点で作動させられる。このため、運転者の急加速や急ブレーキ操作のない定常運転指向であるとき、エンジン水温が暖気判定値より高いとき、蓄電装置の充電残量ＳＯＣが十分にあるときなどのように、エンジン始動の可能性が低い状態では、第２電動機ＭＧ２は第２定格トルクを越えた運転点で作動させられるので、ＥＶ−２モード（第２の電動機走行モード）において一層高い駆動力が得られる。【００６２】  続いて、本発明の他の好適な実施例を図面に基づいて詳細に説明する。以下の説明において、実施例相互に共通する部分については同一の符号を付してその説明を省略する。
【実施例２】
【００６３】  図１３〜図１８は、前述の実施例１のハイブリッド車両用駆動装置１０に替えて、本発明が好適に適用される他のハイブリッド車両用駆動装置１００、１１０、１２０、１３０、１４０、１５０、１６０の構成をそれぞれ説明する骨子図である。本発明のハイブリッド車両の駆動制御装置は、図１３に示す駆動装置１００や図１４に示す駆動装置１１０のように、中心軸ＣＥ方向の前記第１電動機ＭＧ１、第１遊星歯車装置１４、第２電動機ＭＧ２、第２遊星歯車装置１６、クラッチＣＬ及びブレーキＢＫの配置（配列）を変更した構成にも好適に適用される。図１５に示す駆動装置１２０のように、前記第２遊星歯車装置１６のキャリアＣ２と非回転部材である前記ハウジング２６との間に、そのキャリアＣ２のハウジング２６に対する一方向の回転を許容し且つ逆方向の回転を阻止する一方向クラッチ（ワンウェイクラッチ）ＯＷＣを、前記ブレーキＢＫと並列に備えた構成にも好適に適用される。図１６に示す駆動装置１３０、図１７に示す駆動装置１４０、図１８に示す駆動装置１５０のように、前記シングルピニオン型の第２遊星歯車装置１６の代替として、第２差動機構としてのダブルピニオン型の第２遊星歯車装置１６′を備えた構成にも好適に適用される。この第２遊星歯車装置１６′は、第１回転要素としてのサンギヤＳ２′、相互に噛み合わされた複数のピニオンギヤＰ２′を自転及び公転可能に支持する第２回転要素としてのキャリアＣ２′、及びピニオンギヤＰ２′を介してサンギヤＳ２′と噛み合う第３回転要素としてのリングギヤＲ２′を回転要素（要素）として備えたものである。【００６４】  このように、上記実施例２のハイブリッド車両用駆動装置１００、１１０、１２０、１３０、１４０、１５０は、第１電動機ＭＧ１に連結された第１回転要素としてのサンギヤＳ１、エンジン１２に連結された第２回転要素としてのキャリアＣ１、及び出力回転部材である出力歯車３０に連結された第３回転要素としてのリングギヤＲ１を備えた第１差動機構である第１遊星歯車装置１４と、第２電動機ＭＧ２に連結された第１回転要素としてのサンギヤＳ２（Ｓ２′）、第２回転要素としてのキャリアＣ２（Ｃ２′）、及び第３回転要素としてのリングギヤＲ２（Ｒ２′）を備え、それらキャリアＣ２（Ｃ２′）及びリングギヤＲ２（Ｒ２′）の何れか一方が前記第１遊星歯車装置１４のリングギヤＲ１に連結された第２差動機構である第２遊星歯車装置１６（１６′）と、前記第１遊星歯車装置１４におけるキャリアＣ１と、前記キャリアＣ２（Ｃ２′）及びリングギヤＲ２（Ｒ２′）のうち前記リングギヤＲ１に連結されていない方の回転要素とを選択的に係合させるクラッチＣＬと、前記キャリアＣ２（Ｃ２′）及びリングギヤＲ２（Ｒ２′）のうち前記リングギヤＲ１に連結されていない方の回転要素を、非回転部材であるハウジング２６に対して選択的に係合させるブレーキＢＫとを、備えている。このため、前述の電子制御装置４０をそれぞれ設けることにより、前述の実施例１と同様の効果が得られる。
【実施例３】
【００６５】  図１９〜図２１は、前述の実施例１のハイブリッド車両用駆動装置１０に替えて、本発明が好適に適用される他のハイブリッド車両用駆動装置１６０、１７０、１８０の構成および作動をそれぞれ説明する共線図である。前述と同様に、第１遊星歯車装置１４におけるサンギヤＳ１、キャリヤＣ１、リングギヤＲ１の相対的な回転速度を実線Ｌ１で、第２遊星歯車装置１６におけるサンギヤＳ２、キャリヤＣ２、リングギヤＲ２の相対的な回転速度を破線Ｌ２でそれぞれ示している。ハイブリッド車両用駆動装置１６０では、第１遊星歯車装置１４のサンギヤＳ１、キャリヤＣ１、およびリングギヤＲ１は、第１電動機ＭＧ１、エンジン１２、および第２電動機ＭＧ２にそれぞれ連結され、第２遊星歯車装置１６のサンギヤＳ２、キャリヤＣ２、およびリングギヤＲ２は、第２電動機ＭＧ２、出力回転部材３０、およびブレーキＢＫを介して非回転部材２６にそれぞれ連結され、サンギヤＳ１とリングギヤＲ２とがクラッチＣＬを介して選択的に連結されている。ハイブリッド車両用駆動装置１７０では、第１遊星歯車装置１４のサンギヤＳ１、キャリヤＣ１、およびリングギヤＲ１は、第１電動機ＭＧ１、出力回転部材３０、およびエンジン１２にそれぞれ連結され、第２遊星歯車装置１６のサンギヤＳ２、キャリヤＣ２、およびリングギヤＲ２は、第２電動機ＭＧ２、出力回転部材３０、およびブレーキＢＫを介して非回転部材２６にそれぞれ連結され、サンギヤＳ１とリングギヤＲ２とがクラッチＣＬを介して選択的に連結されている。ハイブリッド車両用駆動装置１８０では、第１遊星歯車装置１４のサンギヤＳ１、キャリヤＣ１、およびリングギヤＲ１は、第１電動機ＭＧ１、出力回転部材３０、およびエンジン１２にそれぞれ連結され、第２遊星歯車装置１６のサンギヤＳ２、キャリヤＣ２、およびリングギヤＲ２は、第２電動機ＭＧ２、ブレーキＢＫを介して非回転部材２６、および出力回転部材３０にそれぞれ連結され、リングギヤＲ１とキャリヤＣ２とがクラッチＣＬを介して選択的に連結されている。【００６６】  図１９〜図２１の実施例では、図９に示す実施例と同様に、第１電動機ＭＧ１および第２電動機ＭＧ２で車両を駆動する電動機走行モード（ＥＶ−２）での電動機走行中にエンジン１２を始動させるに際しては、第２電動機ＭＧ２の出力トルクが増加させられるとともに、クラッチＣＬが解放されて第１電動機ＭＧ１によりエンジン１２が回転駆動される。このため、車両駆動力に寄与していた第１電動機ＭＧ１の出力トルクの低下分に相当する車両の駆動トルクの低下分が、第２電動機ＭＧ２の出力トルクの増加に相当する駆動トルクの増加によって補償されるので、車両の駆動トルクの変化が緩和されてトルク抜けの発生が抑制される。【００６７】  図９、図１３〜図１８、図１９〜図２１に示す実施例では、共線図上において全体として４つの回転要素を有する第１差動機構(第１遊星歯車装置１４)及び第２差動機構(第２遊星歯車装置１６、１６′)と、それら４つの回転要素にそれぞれ連結された第１電動機ＭＧ１、第２電動機ＭＧ２、エンジン１２、および出力回転部材（出力歯車３０）と、そのエンジン１２が連結された回転要素を非回転部材に選択的に連結するブレ��キＢＫとを、備え、前記４つの回転要素のうちの１つは、第１差動機構(第１遊星歯車装置１４)の回転要素と第２差動機構(第２遊星歯車装置１６、１６′)の回転要素とがクラッチＣＬを介して選択的に連結されるものであり、ブレーキＢＫおよびクラッチＣＬを係合させて第１電動機ＭＧ１および第２電動機ＭＧ２で車両を駆動する電動機走行が行なわれるハイブリッド車両の駆動制御装置である点で、共通している。【００６８】  以上、本発明の好適な実施例を図面に基づいて詳細に説明したが、本発明はこれに限定されるものではなく、その趣旨を逸脱しない範囲内において種々の変更が加えられて実施されるものである。
【符号の説明】
【００６９】１０、１００、１１０、１２０、１３０、１４０、１５０、１６０、１７０、１８０：ハイブリッド車両用駆動装置１２：エンジン１４：第１遊星歯車装置（第１差動機構）１６、１６′：第２遊星歯車装置（第２差動機構）１８、２２：ステータ２０、２４：ロータ２６：ハウジング（非回転部材）２８：入力軸３０：出力歯車（出力回転部材）４０：電子制御装置（駆動制御装置）７２：始動要求判定部７４：モード判定部７８：始動可能性判定部８０：トルク補償制御部８２：始動制御部ＢＫ：ブレーキＣＬ：クラッチＣ１、Ｃ２、Ｃ２′：キャリア（第２回転要素）ＭＧ１：第１電動機ＭＧ２：第２電動機Ｒ１、Ｒ２、Ｒ２′：リングギヤ（第３回転要素）Ｓ１、Ｓ２、Ｓ２′：サンギヤ（第１回転要素）
【図１】
2013140546.tif 000003
【図２】
2013140546.tif 000004
【図３】
2013140546.tif 000005
【図４】
2013140546.tif 000006
【図５】
2013140546.tif 000007
【図６】
2013140546.tif 000008
【図７】
2013140546.tif 000009
【図８】
2013140546.tif 000010
【図９】
2013140546.tif 000011
【図１０】
2013140546.tif 000012
【図１１】
2013140546.tif 000013
【図１２】
2013140546.tif 000014
【図１３】
2013140546.tif 000015
【図１４】
2013140546.tif 000016
【図１５】
2013140546.tif 000017
【図１６】
2013140546.tif 000018
【図１７】
2013140546.tif 000019
【図１８】
2013140546.tif 000020
【図１９】
2013140546.tif 000021
【図２０】
2013140546.tif 000022
【図２１】
2013140546.tif 000023
【手続補正書】
【提出日】平成26年9月19日(2014.9.19)
【手続補正１】
【補正対象書類名】特許請求の範囲
【補正対象項目名】全文
【補正方法】変更
【補正の内容】
【特許請求の範囲】
【請求項１】
全体として４つの回転要素を有する第１差動機構及び第２差動機構と、該４つの回転要素にそれぞれ連結された第１電動機、第２電動機、エンジン、および出力回転部材と、該エンジンが連結された回転要素を非回転部材に選択的に連結するブレーキとを、備え、
前記４つの回転要素のうちの１つは、前記第１差動機構の回転要素と前記第２差動機構の回転要素とがクラッチを介して選択的に連結されるものであり、
前記ブレーキおよび前記クラッチを係合させて第１電動機および第２電動機で車両を駆動する電動機走行が行なわれるハイブリッド車両の駆動制御装置であって、
前記電動機走行中に前記エンジンを始動させるに際しては、前記クラッチを解放して前記第１電動機により該エンジンを回転駆動するとともに、前記第２電動機の出力トルクを前記第２の電動機走行モード時よりも増加させるエンジン始動制御の開始に先立って、前記第１電動機の出力トルクが零に向かって減少させられるとともに、該第１電動機の出力トルク減少に起因する車両の駆動トルク減少分を補って駆動トルクが維持されるように前記第２電動機の出力トルクが増加させるトルク補償制御を開始させることを特徴とするハイブリッド車両の駆動制御装置。
【請求項２】
前記第２電動機は、前記電動機走行では、相対的に大きく設定された第１定格トルクよりも所定の余裕値だけ小さく設定された第２定格トルク内の運転点で作動させられるが、前記エンジン始動時には、該第２定格トルクを越えた運転点で作動させられることを特徴とする請求項１のハイブリッド車両の駆動制御装置。
【請求項３】
前記第１電動機および第２電動機は、前記電動機走行では、相対的に効率が良い領域内の運転点で作動させられ、前記エンジン始動時では、該効率が良い領域内の運転点から離れて前記第２定格トルクを越えた運転点で作動させられることを特徴とする請求項１または２のハイブリッド車両の駆動制御装置。
【請求項４】
前記電動機走行において、エンジン始動要求の発生可能性が低い状態では、前記第２電動機は第２定格トルクを越えた運転点で作動させられることを特徴とする請求項１乃至３のいずれか１のハイブリッド車両の駆動制御装置。
【請求項５】
前記第１差動機構は、前記第１電動機に連結された第１回転要素、前記エンジンに連結された第２回転要素、及び前記出力回転部材に連結された第３回転要素を有し、
前記第２差動機構は、第２電動機に連結された第１回転要素、第２回転要素、及び第３回転要素を有し、該第２回転要素及び第３回転要素の何れか一方が前記第１差動機構の第３回転要素に連結され、
前記クラッチは、前記第１差動機構の回転要素と前記第２差動機構の回転要素とを選択的に連結し、
前記ブレーキは、前記第２差動機構における回転要素を非回転部材に対して選択的に連結するものである請求項１乃至４のいずれか１のハイブリッド車両の駆動制御装置。
【手続補正２】
【補正対象書類名】明細書
【補正対象項目名】０００８
【補正方法】変更
【補正の内容】
【０００８】
斯かる目的を達成するために、本発明の要旨とするところは、(a)全体として４つの回転要素を有する第１差動機構及び第２差動機構と、(b)該４つの回転要素にそれぞれ連結された第１電動機、第２電動機、エンジン、および出力回転部材と、(c)該エンジンが連結された回転要素を非回転部材に選択的に連結するブレーキとを、備え、(d)前記４つの回転要素のうちの１つは、前記第１差動機構の回転要素と前記第２差動機構の回転要素とがクラッチを介して選択的に連結されるものであり、(e)前記ブレーキおよび前記クラッチを係合させて第１電動機および第２電動機で車両を駆動する電動機走行が行なわれるハイブリッド車両の駆動制御装置であって、(f)前記電動機走行中に前記エンジンを始動させるに際しては、前記第２電動機の出力トルクを前記第２の電動機走行モード時よりも増加させるエンジン始動制御に先立って、前記第１電動機の出力トルクが零に向かって減少させられるとともに、該第１電動機の出力トルク減少に起因する車両の駆動トルク減少分を補って駆動トルクが維持されるように前記第２電動機の出力トルクを増加させるトルク補償制御を開始させることにある。
【手続補正３】
【補正対象書類名】明細書
【補正対象項目名】０００９
【補正方法】変更
【補正の内容】
【０００９】
本発明のハイブリッド車両の駆動制御装置によれば、第１電動機および第２電動機で車両を駆動する電動機走行中にエンジンを始動させるに際しては、第２電動機の出力トルクが増加させられるエンジン始動制御に先立って、前記第１電動機の出力トルクが零に向かって減少させられるとともに、該第１電動機の出力トルク減少に起因する車両の駆動トルク減少分を補って駆動トルクが維持されるように前記第２電動機の出力トルクを増加させるトルク補償制御が開始され、次いで、クラッチが解放されて第１電動機によりエンジンが回転駆動される。このため、車両駆動力に寄与していた第１電動機の出力トルクの低下分に相当する車両の駆動トルクの低下分が、第２電動機の出力トルクの増加に相当する駆動トルクの増加によって補償されるので、車両の駆動トルクの変化が緩和されてトルク抜けの発生が抑制される。
【手続補正４】
【補正対象書類名】明細書
【補正対象項目名】００２６
【補正方法】変更
【補正の内容】
【００２６】
図１に示すように、駆動装置１０において、第１遊星歯車装置１４及び第２遊星歯車装置１６は、それぞれ入力軸２８と同軸上（中心軸ＣＥ上）に配置されており、且つ、中心軸ＣＥの軸方向において対向する位置に配置されている。すなわち、中心軸ＣＥの軸方向に関して、第１遊星歯車装置１４は、第２遊星歯車装置１６に対してエンジン１２側に配置されている。中心軸ＣＥの軸方向に関して、第１電動機ＭＧ１は、第１遊星歯車装置１４に対してエンジン１２側に配置されている。中心軸ＣＥの軸方向に関して、第２電動機ＭＧ２は、第２遊星歯車装置１６に対してエンジン１２の反対側に配置されている。すなわち、第１電動機ＭＧ１、第２電動機ＭＧ２は、中心軸ＣＥの軸方向に関して、第１遊星歯車装置１４及び第２遊星歯車装置１６を間に挟んで対向する位置に配置されている。すなわち、駆動装置１０においては、中心軸ＣＥの軸方向において、エンジン１２側から第１電動機ＭＧ１、第１遊星歯車装置１４、クラッチＣＬ、第２遊星歯車装置１６、ブレーキＢＫ、第２電動機ＭＧ２の順でそれらの構成が同軸上に配置されている。
【手続補正５】
【補正対象書類名】明細書
【補正対象項目名】００３５
【補正方法】変更
【補正の内容】
【００３５】
図３に示す「ＥＶ−１モード」は、駆動装置１０における第１の電動機走行モードに相当するものであり、好適には、エンジン１２の運転が停止させられると共に、第２電動機ＭＧ２が走行用の駆動源として用いられる電動機走行モードである。図４は、このＥＶ−１モードに対応する共線図であり、この共線図を用いて説明すれば、クラッチＣＬが解放されることで第１遊星歯車装置１４のキャリアＣ１と第２遊星歯車装置１６のキャリアＣ２との相対回転が可能とされている。ブレーキＢＫが係合されることで第２遊星歯車装置１６のキャリアＣ２が非回転部材であるハウジング２６に対して連結（固定）され、その回転速度が零とされている。このＥＶ−１モードにおいては、第２遊星歯車装置１６において、サンギヤＳ２の回転方向とリングギヤＲ２の回転方向とが逆方向となり、第２電動機ＭＧ２により負のトルク（負の方向のトルク）が出力されると、そのトルクによりリングギヤＲ２すなわち出力歯車３０は正の方向に回転させられる。すなわち、第２電動機ＭＧ２により負のトルクを出力させることにより、駆動装置１０の適用されたハイブリッド車両を前進走行させることができる。この場合において、第１電動機ＭＧ１は空転させられる。このＥＶ−１モードでは、キャリアＣ１及びＣ２の相対回転が許容されると共に、そのキャリアＣ２が非回転部材に連結された所謂ＴＨＳ（Toyota Hybrid System）を搭載した車両におけるＥＶ（電気）走行と同様の、第２電動機ＭＧ２による前進或いは後進のＥＶ走行制御を行うことができる。
【手続補正６】
【補正対象書類名】明細書
【補正対象項目名】００３９
【補正方法】変更
【補正の内容】
【００３９】
図３に示す「ＨＶ−２モード」は、駆動装置１０における第２エンジン走行モードに相当するものであり、好適には、エンジン１２が駆動されて走行用の駆動源として用いられると共に、必要に応じて第１電動機ＭＧ１及び第２電動機ＭＧ２による駆動乃至発電が行われるハイブリッド走行モードである。図６は、このＨＶ−２モードに対応する共線図であり、この共線図を用いて説明すれば、クラッチＣＬが係合されることで第１遊星歯車装置１４のキャリアＣ１と第２遊星歯車装置１６のキャリアＣ２との相対回転が不能とされており、キャリアＣ１及びＣ２が一体的に回転させられる１つの回転要素として動作する。リングギヤＲ１及びＲ２は相互に連結されていることで、それらリングギヤＲ１及びＲ２は一体的に回転させられる１つの回転要素として動作する。すなわち、ＨＶ−２モードにおいて、駆動装置１０における第１遊星歯車装置１４及び第２遊星歯車装置１６における回転要素は、全体として４つの回転要素を備えた差動機構として機能する。すなわち、図６において紙面向かって左から順に示す４つの回転要素であるサンギヤＳ１（第１電動機ＭＧ１）、サンギヤＳ２（第２電動機ＭＧ２）、相互に連結されたキャリアＣ１及びＣ２（エンジン１２）、相互に連結されたリングギヤＲ１及びＲ２（出力歯車３０）の順に結合した複合スプリットモードとなる。
【手続補正７】
【補正対象書類名】明細書
【補正対象項目名】００５４
【補正方法】変更
【補正の内容】
【００５４】
図１１において、先ず、モード切換制御部７６に対応するステップ（以下、ステップを省略する）Ｓ１１において、ＥＶ−２モードの電動機走行であるか否かが判定される。このＳ１１の判定が否定される場合は本ルーチンが終了させられるが、肯定される場合は、始動要求判定部７２に対応するＳ１２において、始動要求が出されたか否かすなわちＥＶ−２モードからエンジン走行モードＨＶ−１への遷移があるか否かが判定される。このＳ１２の判定が否定される場合は本ルーチンが終了させられるが、肯定される場合は、トルク補償制御部８０に対応するＳ１３が実行される。
【手続補正８】
【補正対象書類名】明細書
【補正対象項目名】００５８
【補正方法】変更
【補正の内容】
【００５８】
上述のように、本実施例のハイブリッド車両の駆動装置１０によれば、第１電動機ＭＧ１に連結されたサンギヤＳ１（第１回転要素）、エンジン１２に連結されたキャリヤＣ１（第２回転要素）、及び出力歯車３０（出力回転部材）に連結されたリングギヤＲ１（第３回転要素）を有する第１遊星歯車装置１４（第１差動機構）と、第２電動機ＭＧ２に連結されたサンギヤＳ２（第１回転要素）、キャリヤＣ２（第２回転要素）、及びリングギヤＲ２（第３回転要素）を有し、それら第２回転要素及び第３回転要素の何れか一方が第１遊星歯車装置１４（第１差動機構）における第３回転要素に連結された第２遊星歯車装置１６（第２差動機構）と、第１遊星歯車装置１４におけるキャリヤＣ１（第２回転要素）と、第２遊星歯車装置１６におけるキャリヤＣ２（第２回転要素）及びリングギヤＲ２（第３回転要素）のうち第１遊星歯車装置１４におけるリングギヤＲ１（第３回転要素）に連結されていない方の回転要素とを選択的に係合させるクラッチＣＬと、第２遊星歯車装置１６（第２差動機構）におけるキャリヤＣ２（第２回転要素）及びリングギヤＲ２（第３回転要素）のうち第１遊星歯車装置１４におけるリングギヤＲ１（第３回転要素）に連結されていない方の回転要素を、ハウジング２６（非回転部材）に対して選択的に係合させるブレーキＢＫとを備え、ブレーキＢＫを係合させて専ら第２電動機ＭＧ２で車両を駆動するＥＶ−１（第１の電動機走行モード）と、ブレーキＢＫおよびクラッチＣＬを係合させて第１電動機ＭＧ１および第２電動機ＭＧ２で車両を駆動するＥＶ−２モード（第２の電動機走行モード）とから選択されたいずれかのモードで電動機走行が行なわれるハイブリッド車両において、ＥＶ−２モード（第２の電動機走行モード）で電動機走行中にエンジン１２を始動させるに際しては、第２電動機ＭＧ２の出力トルクが増加させられるとともに、クラッチＣＬが解放されて第１電動機ＭＧ１によりエンジン１２が回転駆動される。このため、車両駆動力に寄与していた第１電動機ＭＧ１の出力トルクの低下分に相当する車両の駆動トルクの低下分が、第２電動機ＭＧ２の出力トルクの増加に相当する駆動トルクの増加によって補償されるので、車両の駆動トルクの変化が緩和されてトルク抜けの発生が抑制される。
【手続補正９】
【補正対象書類名】明細書
【補正対象項目名】００５９
【補正方法】変更
【補正の内容】
【００５９】
また、本実施例のハイブリッド車両の駆動制御装置によれば、第２電動機ＭＧ２は、ＥＶ−２モード（第２の電動機走行モード）では、相対的に大きく設定された第１定格トルクＴ１よりも所定の余裕値Ｍだけ小さく設定された第２定格トルクＴ２内の運転点で作動させられるが、エンジン始動時には、その第２定格トルクＴ２を越えた運転点で作動させられる。このため、ＥＶ−２モード（第２の電動機走行モード）では、定常運転で過熱のない電動機走行が得られるとともに、エンジン始動時において第２電動機ＭＧ２の出力トルクが電動機走行で許容された第２定格トルクＴ２よりも大きいトルクを一時的に出力できるので、エンジン始動時の駆動トルクのトルク抜けが確実に抑制される。
【手続補正１０】
【補正対象書類名】明細書
【補正対象項目名】００６０
【補正方法】変更
【補正の内容】
【００６０】
また、本実施例のハイブリッド車両の駆動制御装置によれば、第１電動機ＭＧ１および第２電動機ＭＧ２は、ＥＶ−２モード（第２の電動機走行モード）では、運転者の要求駆動力を満たす範囲で、相対的に効率が良い領域内の運転点で作動させられるが、エンジン始動時は、その効率が良い領域内の運転点から離れて第２定格トルクＴ２を越えた運転点で作動させられる。このため、ＥＶ−２モード（第２の電動機走行モード）では、効率のよい電動機走行が得られるとともに、エンジン始動時においては、第２電動機ＭＧ２の出力トルクが電動機走行で許容された第２定格トルクＴ２よりも大きいトルクを一時的に出力できるので、エンジン始動時の駆動トルクのトルク抜けが確実に抑制される。
【手続補正１１】
【補正対象書類名】明細書
【補正対象項目名】００６１
【補正方法】変更
【補正の内容】
【００６１】
また、本実施例のハイブリッド車両の駆動制御装置によれば、ＥＶ−２モード（第２の電動機走行モード）において、エンジン始動要求の発生可能性が低い状態では、第２電動機ＭＧ２は第２定格トルクＴ２を越えた運転点で作動させられる。このため、運転者の急加速や急ブレーキ操作のない定常運転指向であるとき、エンジン水温が暖気判定値より高いとき、蓄電装置の充電残量ＳＯＣが十分にあるときなどのように、エンジン始動の可能性が低い状態では、第２電動機ＭＧ２は第２定格トルクを越えた運転点で作動させられるので、ＥＶ−２モード（第２の電動機走行モード）において一層高い駆動力が得られる。
【国際調査報告】
2013140546.tif 000024
2013140546.tif 000025
2013140546.tif 000026
2013140546.tif 000027